(57)【要約】      （修正有）【課題】電池収容部への液体の浸入を抑制し、安全性の向上を図った携帯型電子機器を提供する。【解決手段】プリンターは、電池２１を収容する電池収容部２０と電池収容部２０を開閉する電池カバー１５とを備え、電池カバー１５は、ベース本体３１から進出して本体２に設けられた受け部５１に係合する爪部３２と、爪部３２を進退操作する操作ノブ１６とを備え、操作ノブ１６とベース本体３１の隙間から浸入した液体を電池収容部２０から離れた本体２内の媒体収容部４１に誘導する溝部を電池カバー１５に設けた。【選択図】図５
2015053164.tif 000002
【特許請求の範囲】
【請求項１】
電池収容部と前記電池収容部を開閉する蓋体とを備えた携帯型電子機器において、
前記蓋体は、該蓋体から進出して機器本体に設けられた受け部に係合する爪部と、前記爪部を進退操作する操作部とを備え、
前記操作部の隙間から浸入した液体を前記電池収容部から離れた機器本体内の所定箇所に誘導する液体誘導路を備えたことを特徴とする携帯型電子機器。
【請求項２】
前記液体誘導路は、前記蓋体に設けられた溝部を備えることを特徴とする請求項１に記載の携帯型電子機器。
【請求項３】
前記溝部は、前記浸入した液体がその自重により前記所定箇所に流れるよう誘導可能に形成されていることを特徴とする請求項２に記載の携帯型電子機器。
【請求項４】
前記蓋体は、該蓋体を前記機器本体にヒンジ連結する連結部を備え、
前記連結部は、前記蓋体の内面から前記機器本体内に延びるとともに、前記機器本体内に設けられた内壁に対向する部位を有し、
前記溝部は、少なくとも前記連結部の前記内壁との対向部位に設けられていることを特徴とする請求項２または３に記載の携帯型電子機器。
【請求項５】
前記操作部は、操作に連動して回動し、前記爪部を進出させるカムと、前記爪部を退避させる方向に付勢する付勢部材とを備え、前記カムの退避位置で、前記爪部が退避しない場合に、この爪部を強制的に退避させる強制退避部を備えることを特徴とする請求項１乃至４のいずれかに記載の携帯型電子機器。
【発明の詳細な説明】
【技術分野】
【０００１】
本発明は、電池収容部を有する携帯型電子機器に関する。
【背景技術】
【０００２】
従来、電池が収容される電池収容部と電池収容部を開閉する蓋体とを備え、電池を電源として動作する携帯型の電子機器が知られている。この種の電子機器には、使用時における電池の飛び出し、脱落等を防止するための機構を備えたものがある（例えば、特許文献１参照）。
【先行技術文献】
【特許文献】
【０００３】
【特許文献１】特開２００８−３０７７８９号公報
【発明の概要】
【発明が解決しようとする課題】
【０００４】
ところで、この種の携帯型の電子機器では、屋外での使用が想定されるため、機器本体が雨等（液体）に濡れた場合には、雨水が機器本体内に浸入する可能性がある。この場合、雨水が電池収容部と電池との間に浸入して電池の接点部にまで達する可能性があるため安全性の高い構成の実現が模索されていた。
本発明は、上述した事情に鑑みてなされたものであり、電池収容部への液体の浸入を抑制し、安全性の向上を図った携帯型電子機器を提供することを目的とする。
【課題を解決するための手段】
【０００５】
上記目的を達成するために、本発明は、電池収容部と前記電池収容部を開閉する蓋体とを備えた携帯型電子機器において、前記蓋体は、該蓋体から進出して機器本体に設けられた受け部に係合する爪部と、前記爪部を進退操作する操作部とを備え、前記操作部の隙間から浸入した液体を前記電池収容部から離れた機器本体内の所定箇所に誘導する液体誘導路を備えたことを特徴とする。
本発明によれば、機器本体内に液体が浸入した場合、この液体は液体誘導路を通じて電池収容部から離れた機器本体内の所定箇所に流れる。このため、液体が電池収容部へ浸入することが抑制され、携帯型電子機器の安全性の向上を図ることができる。
【０００６】
上記構成において、前記液体誘導路は、前記蓋体に設けられた溝部を備えても良い。この構成によれば、蓋体内に浸入した液体を、蓋体からそのまま機器本体内の所定箇所に誘導することができ、液体を誘導する流路を簡素化することができる。
【０００７】
また、前記溝部は、前記浸入した液体がその自重により前記所定箇所に流れるよう誘導可能に形成される構成としても良い。この構成によれば、液体の自重によって、該液体が溝部を通じて機器本体内の所定箇所に誘導されることにより、液体が電池収容部に浸入することを防止することができる。
【０００８】
また、前記蓋体は、該蓋体を前記機器本体にヒンジ連結する連結部を備え、前記連結部は、前記蓋体の内面から前記機器本体内に延びるとともに、前記機器本体内に設けられた内壁に対向する部位を有し、前記溝部は、少なくとも前記連結部の前記内壁との対向部位に設けられても良い。この構成によれば、連結部に流下した液体は、溝部を通じて排出されるため、連結部上に溜まることを防止でき、ひいては電池収容部に液体が浸入することを簡単な構成で防止できる。
【０００９】
また、前記操作部は、操作に連動して回動し、前記爪部を進出させるカムと、前記爪部を退避させる方向に付勢する付勢部材とを備え、前記カムの退避位置において、前記爪部が退避しない場合に、この爪部を強制的に退避させる強制退避部を備えても良い。この構成によれば、蓋体内に塵埃等のゴミが侵入した場合や、付勢手段の付勢力が十分に強くない場合であっても、爪部が蓋体から突出した状態を簡単に解消することができ、蓋体を開放することができる。
【発明の効果】
【００１０】
本発明によれば、機器本体内に浸入した液体は液体誘導路を通じて電池収容部から離れた機器本体内の所定箇所に流れるため、液体が電池収容部へ浸入することが抑制され、携帯型電子機器の安全性の向上を図ることができる。
【図面の簡単な説明】
【００１１】
【図１】本発明の実施形態に係るプリンターの斜視図である。
【図２】プリンターを後面側から見た斜視図である。
【図３】電池カバーの斜視図である。
【図４】電池カバーを内面側から見た斜視図である。
【図５】電池カバーの取付け構造を説明するためのプリンターの縦断面図である。
【図６】ベース本体内に爪部が退避した状態を示す電池カバーの断面図である。
【図７】ベース本体から爪部が進出した状態を示す電池カバーの断面図である。
【図８】電池カバーの爪部を示す部分拡大断面図である。
【図９】電池カバーのヒンジを示す部分拡大断面図である。
【発明を実施するための形態】
【００１２】
以下、図面を参照して本発明の実施形態について説明する。
図１は、本発明を適用した実施形態に係るプリンター１の前面側から見た斜視図であり、図２は、プリンター１を後面側から見た斜視図である。
プリンター１（携帯型電子機器）は、略箱形の本体２（機器本体）を有し、本体２の内部に収容したロール状の印刷媒体に文字や画像を印刷し、印刷媒体を本体２の前面に設けられた排紙口３から排出する。印刷媒体としては、普通紙のほか、感熱紙や糊付きのラベル用紙が挙げられる。また、プリンター１の印刷方式は、サーマル方式、ドットインパクト方式、熱転写方式、インクジェット方式等が挙げられるが、特に制限はない。排紙口３の側方には用紙レバー６が配置されている。用紙レバー６を操作すると、図示は省略したが、本体２の前面において排紙口３より下部が前面側に開き、印刷媒体を収容する媒体収容部が露出して、印刷媒体の交換や補充を行えるようになっている。
【００１３】
本体２は、前部ケース４及び後部ケース５を備えて構成される。前部ケース４の前面には上述した排紙口３が開口する。また、前部ケース４の前面上部には、プリンター１の電源をオン／オフする電源スイッチや紙送り動作を指示するフィードスイッチ等を有するスイッチ部１１が配置される。さらに、スイッチ部１１の近傍には、プリンター１の動作状態に合わせて点灯／点滅するＬＥＤインジケーターを有するインジケーター部１２が設けられている。
【００１４】
プリンター１は、ユーザーが携帯して使用する携帯型のプリンターであり、図２に示すように、本体２の後面側には、プリンター１をユーザーのベルト等に引っ掛けて保持するためのベルトクリップ１３が設けられている。このように本実施形態では、プリンター１は、図１及び図２に示すように、本体２を立てた姿勢の状態（以下、使用状態という）で使用される。
また、プリンター１は、後部ケース５の上部に横並びに配置されたストラップホール１４，１４が形成される。ベルトクリップ１３の代わりに、ストラップホール１４，１４にストラップ（図示略）を取り付け、例えば、プリンター１をユーザーが肩に掛けて保持することもできる。
なお、本実施形態では、プリンター１は、本体２を立てた姿勢の状態で使用されることを想定しているが、これに限るものではなく、本体２の後部ケース５を床に載置（いわゆる横置き）した状態で使用することも可能であることは勿論である。
【００１５】
プリンター１は、本体２内に電池を内蔵している。本体２の後部ケース５上部には、図２に示すように電池２１を収容する電池収容部２０と、この電池収容部２０を塞ぐ電池カバー１５（蓋体）とが設けられている。電池カバー１５は、この電池カバー１５の下端部で本体２にヒンジ連結されて、図１の閉じた状態から図２の開いた状態へと開閉自在となっている。
電池カバー１５は、図１に示すように、開閉操作を行うための操作ノブ１６（操作部）を備える。この操作ノブ１６は、ロック位置と解除位置との間を回動し、操作ノブ１６をロック位置から矢印ＵＬ方向に回動すると、電池カバー１５は図中符号ＯＰで示す矢印の方向に回動して開く。
また、電池カバー１５を閉じた状態で、操作ノブ１６を解除位置から矢印ＬＫ方向に回転させると、後述する爪部が進出して後部ケース５の受け部と係合することにより、電池カバー１５を閉じた状態が保持される。
【００１６】
電池収容部２０は、図２に示すように、後部ケース５内に形成された筒状の空間であり、略筒型の電池２１の全体を収めることが可能である。電池２１は、プリンター１の電源を供給する電池であり、一次電池であっても二次電池であってもよく、内部構造等についても任意である。
電池カバー１５を開いた状態で、電池２１は図中符号αの矢印で示す方向に引き抜き、取り出すことが可能である。また、電池２１をプリンター１にセットする場合、電池２１を電池収容部２０の奥に向けて、矢印αとは逆方向に押し込めばよい。電池収容部２０は、電池２１と略同形状に形成されており、電池収容部２０の内面に案内されて電池２１がまっすぐ電池収容部２０の奥まで挿入される。
【００１７】
電池収容部２０の開口２０ａは、前部ケース４及び後部ケース５に跨がって形成されている。この開口２０ａは、本体２の側面から後面（背面）の一部に及んでいる。すなわち、本体２の後面の一部には、開口２０ａに繋がる凹欠部２０ｂが形成されている。凹欠部２０ｂは、本体２の後板２５を半円形状に切り欠いたように形成され、電池カバー１５を開くと開口２０ａに繋がって一つの開口を構成する。
電池収容部２０は、本体２の後板２５上に形成されている。電池カバー１５を開くと、図２に示すように、電池収容部２０に収容された電池２１の先端が開口２０ａに露出する。さらに、凹欠部２０ｂを通じて電池２１の先端が露出する。このため、ユーザーは、凹欠部２０ｂから指を入れることで、電池２１の先端を掴むことができる。つまり、電池収容部２０に収容された電池２１を掴んで引き出し、容易に電池収容部２０から取り出すことができる。この取り出し操作は簡単であり、かつ、電池２１を電池収容部２０から押し出す機構を必要としない。
【００１８】
次に、電池カバー１５について説明する。図３は、電池カバー１５の斜視図であり、図４は電池カバー１５を内面側から見た斜視図である。また、図５は、電池カバー１５の取り付け構造を説明するためのプリンター１の縦断面図である。なお、図５では、プリンター１の内部構造についての記載を省略している。
電池カバー１５は、図３及び図４に示すように、平板状に形成されたベース本体３１を備える。このベース本体３１の表面側には、操作ノブ１６が回動自材に設けられ、この操作ノブ１６の操作に応じて、爪部３２がベース本体３１から進出またはベース本体３１内に退避する。
また、ベース本体３１の下端には本体２にヒンジ連結される連結部１７が設けられ、ベース本体３１の側端にはベース本体３１からほぼ垂直に舌状部３５が設けられている。舌状部３５は、電池カバー１５の閉じた場合に、本体２の凹欠部２０ｂ（図２）をほぼ閉塞する。ベース本体３１の内周縁には、図４に示すように、シール材３６が設けられている。このシール材３６は、電池カバー１５の閉じた場合に、開口２０ａの開口縁２８とベース本体３１とで狭持されて水密を確保する。なお、本実施形態では、本体２の凹欠部２０ｂ（図２）にもシール材３７が設けられ、舌状部３５との間の水密を確保している。
【００１９】
電池カバー１５は、図５に示すように、本体２にヒンジ連結されている。本体２の開口２０ａの下端（一端）側には、電池カバー１５の回動中心となる軸２３が配置されている。軸２３は本体２の一部として固定的に前後方向に立設され、前部ケース４と後部ケース５とに挟まれて固定される。
連結部１７は、内部に軸２３が貫通する軸孔１８ａを有するヒンジ１８と、このヒンジ１８とベース本体３１とを繋ぐアーム１９とを備える。電池カバー１５は、ヒンジ１８の軸孔１８ａに軸２３が貫通するように本体２に取り付けられ、軸２３を中心として回動する。ヒンジ１８には捻りコイルばね２７が配設され、電池カバー１５が軸２３を中心として矢印ＯＰ方向（図１）に回動するように付勢している。すなわち、電池カバー１５は矢印ＯＰ方向に付勢されているので、電池カバー１５が閉じた状態で、操作ノブ１６が操作されると、ばねの付勢力によって外側に開く。
【００２０】
アーム１９は、ベース本体３１の内面から本体２内に延びた後、反転して本体２外に延びる断面Ｕ字形状に曲がった形状を有する。図２に示すように電池カバー１５が開いた場合、本体２の開口２０ａの下縁２０ｃが、アーム１９のＵ字形状の湾曲部分に入り込む。このため、本体２内部に固定された軸２３（図５）を中心として電池カバー１５が回動し、本体２の外側に開く構成を実現できる。
また、本構成では、アーム１９を断面Ｕ字形状に形成しているため、このアーム１９に接続されるヒンジ１８を、本体２の側板２６の内側に配置することができる。このため、ヒンジ１８及びアーム１９を含む連結部１７が外部に露出することを防止でき、電池カバー１５の水密性の向上を図ることができる。
本体２内には、プリンター１の制御基板（図示略）等が配置される電装部４０と、ロール状の印刷媒体が収容される媒体収容部４１とを水密に区分けする仕切壁２９（内壁）が形成される。
通常、電池カバー１５の開閉時に、アーム１９が仕切壁２９に当接しないような隙間を設けた設計がなされる。しかし、プリンター１が携帯型であり小型化の要請が強いことに加え、本体２内での仕切板２９の位置、ア−ム１９の肉厚、ア−ム１９のＵ字状溝の深さ等のばらつきにより、電池カバー１５を閉じた場合には、図５に示すように、アーム１９が仕切壁２９の一部と近接し、時には前記設計上の隙間がない状態となることもある。
【００２１】
次に、電池カバー１５の内部構造について説明する。
図６は、ベース本体３１内に爪部３２が退避した状態を示す電池カバー１５の断面図であり、図７は、ベース本体３１から爪部３２が進出した状態を示す電池カバー１５の断面図である。
図６及び図７に示すように、ベース本体３１内には、爪部３２を有するレバー部材３８がスライド可能に収容されるとともに、このレバー部材３８を進退させるカム部材３９が回動自材に収容されている。カム部材３９は、操作ノブ１６に連結されており、操作ノブ１６の動作に合わせて一体に回動する。勿論、カム部材３９と操作ノブ１６とを一体に形成しても良い。レバー部材３８とベース本体３１との間に筒型の空間が形成され、この空間にレバー部材３８を退避方向に付勢する圧縮コイルばね４２が収容されている。また、ベース本体３１の内面には、裏蓋４５（図４）が設けられ、ベース本体３１の内部に塵埃等の侵入を防止している。
【００２２】
カム部材３９は、円板状の本体の一部を切り欠いた第１カム面３９ａと、この第１カム面３９ａに連なり円周上に設けられた第２カム面３９ｂとを備える。また、カム部材３９は、円板状の本体から径方向に突出するクリックピン４３と、このクリックピン４３を突出方向に付勢する圧縮コイルばね４４とを備える。
カム部材３９は、ベース本体３１に形成された収容部４６に回動自材に収容され、この収容部４６は、円板状の本体と略同径に形成される。また、カム部材３９は、図示は省略したが、円板状の本体の操作ノブ１６側に、円周状に延在する案内部を備える。この案内部は、ベース本体３１の表面側に開口した案内孔と嵌合することにより、カム部材３９は、案内孔の壁面に案内されて該収容部４６内を回動する。また、収容部４６には、カム部材３９のロック位置と解除位置とにそれぞれ対応した凹部４６ａ、４６ｂが形成される。これら凹部４６ａ、４６ｂには、クリックピン４３が係合することにより、ユーザーは操作ノブ１６が正常に操作されたことを認識できるとともに、カム部材３９が振動等により勝手に動くことを防止する。
【００２３】
操作ノブ１６を解除位置に操作すると、操作ノブ１６と一体にカム部材３９が回動し、クリックピン４３は、解除位置に相当する凹部４６ｂに係合する。この場合、図６に示すように、カム部材３９の第１カム面３９ａがレバー部材３８の下端面３８ａと対向する（カムの退避位置）。このため、圧縮コイルばね４２の付勢力によって、レバー部材３８は退避する方向にスライドし、爪部３２がベース本体３１内に収容される。
一方、操作ノブ１６をロック位置に操作すると、操作ノブ１６と一体にカム部材３９が回動し、クリックピン４３は、ロック位置に相当する凹部４６ａに係合する。この場合には、図７に示すように、カム部材３９の第２カム面３９ｂがレバー部材３８の下端面３８ａと対向する。このため、圧縮コイルばね４２の付勢力に抗して、レバー部材３８が進出する方向にスライドし、爪部３２がベース本体３１から進出する。この爪部３２は、電池カバー１５から突出して電池収容部２０（図１）側に形成された受け部５１（図５）に係合し、電池カバー１５を閉じた状態で保持する。
【００２４】
ところで、上述したように、電池カバー１５は、ベース本体３１内にスライド自在なレバー部材３８と、このレバー部材３８を退避する方向に付勢する圧縮コイルばね４２とを備える。このため、カム部材３９の第１カム面３９ａがレバー部材３８の下端面３８ａと対向する位置（カムの退避位置）に回動させた場合には、圧縮コイルばね４２の付勢力によって、爪部３２がベース本体３１内に収容される。
しかし、ベース本体３１内に塵埃等のゴミが侵入した場合や、圧縮コイルばね４２の付勢力が十分に強くない場合には、レバー部材３８がスライドせずに、爪部３２がベース本体３１から突出した状態で保持されてしまう事態が想定される。
【００２５】
このため、本構成では、電池カバー１５は、爪部３２を強制的にベース本体３１内に退避させる強制退避部を備える。
具体的には、図３及び図８に示すように、電池カバー１５は、ベース本体３１の表面側に形成され、レバー部材３８に達する貫通孔５２を備えると共に、レバー部材３８における貫通孔５２の対応位置に形成される凹部３８ｂと備える。これらの貫通孔５２及び凹部３８ｂを備えて強制退避部５０が構成される。貫通孔５２は、レバー部材３８のスライド方向に延在する長孔として形成されている。
図８に示すように、操作ノブ１６（カム部材３９）を上記したカムの退避位置に操作しても、レバー部材３８がベース本体３１内に退避しない場合には、例えば、ボールペン等のような先端が細い治具５５を貫通孔５２に挿し込む。そして、治具５５の先端５５ａを凹部３８ｂに引っ掛けて、この治具５５を退避方向（矢印Ｘ方向）に動作させる。すると、レバー部材３８は、下端面３８ａがカム部材３９の第１カム面３９ａに当接するまで、退避方向にスライド移動する。これにより、爪部３２を電池収容部２０の受け部５１から外れた位置まで、強制的に退避させることができ、電池カバー１５を開くことができる。
【００２６】
さて、上述したように、プリンター１は、屋外に持ち出して使用することを想定した製品であるため、プリンター１が雨水で濡れることが十分に考えられる。このため、本実施形態では、電池カバー１５のベース本体３１の周縁部にシール材３６を設け、電池カバー１５と電池収容部２０との水密性を確保している。しかしながら、電池カバー１５は、ベース本体３１に配置される操作ノブ１６や上記貫通孔５２を備えるため、貫通孔５２及び操作ノブ１６とベース本体３１の案内孔との隙間５３（図３）を通じて、雨水が内部に浸入する可能性がある。また、例えば、ユーザーが誤って飲料等の液体をこぼした場合に、この液体が貫通孔５２及び隙間５３を通じて内部に浸入する可能性がある。
【００２７】
これらの液体（雨水）は、電池カバー１５のベース本体３１内を流下し、連結部１７に至る。この連結部１７は、電池カバー１５を閉じた状態では、内側にＵ字形状に湾曲されるアーム１９が仕切壁２９の対向部２９ａ（図９）と近接して配置される。このため、連結部１７上に流下した液体は、アーム１９上に徐々に溜まり、ついには電池収容部２０と電池２１との間に浸入して電池の接点部にまで達する可能性があった。
【００２８】
これを防止するために、本構成では、電池カバー１５は、図９に示すように、アーム１９における仕切壁２９の対向部２９ａとの近接面１９ａ（対向部位）に、液体を誘導する溝部５４（液体誘導路）が形成されている。この溝部５４は、図４に示すように、アーム１９における仕切壁２９の対向部２９ａとの近接面１９ａだけでなく、アーム１９の上面にも形成されている。この溝部５４の上方には、カム部材３９が収容される収容部４６の最下端に存在する凹部４６ａが配置されている。このため、ベース本体３１を流下した液体は、凹部４６ａを通じて、確実に溝部５４に流れる。
溝部５４は、図９に示すように、電池収容部２０から離れる方向に延びて形成され、連結部１７の上方に位置する電池収容部２０の開口２０ａと、下方に位置する媒体収容部４１（所定箇所）とを連通する。溝部５４に流下した液体は、矢印Ｗに示すように、溝部５４及び仕切壁２９を通じて媒体収容部４１に導かれる。これにより、本体２内に浸入した液体は、自重によって溝部５４を通じて電池収容部２０から離れた媒体収容部４１に流れるため、液体が電池収容部２０へ浸入することが抑制され、プリンター１の安全性の向上を図ることができる。
【００２９】
以上説明したように、本発明を適用した実施形態に係るプリンター１は、電池２１を収容する電池収容部２０と電池収容部２０を開閉する電池カバー１５とを備える。そして、電池カバー１５は、ベース本体３１から進出して本体２に設けられた受け部５１に係合する爪部３２と、爪部３２を進退操作する操作ノブ１６とを備える。さらに、操作ノブ１６とベース本体３１の隙間５３から浸入した液体を電池収容部２０から離れた本体２内の媒体収容部４１に誘導する溝部５４を備えた。このため、本体２内に浸入した液体は溝部５４を通じて電池収容部２０から離れた媒体収容部４１に流れることにより、液体が電池収容部２０へ浸入することが抑制され、プリンター１の安全性の向上を図ることができる。
【００３０】
また、本実施形態によれば、溝部５４は、電池カバー１５に設けられているため、電池カバー１５内に浸入した液体を、電池カバー１５からそのまま媒体収容部４１に流すことができ、液体を誘導する流路を簡素化することができる。
【００３１】
また、本実施形態によれば、溝部５４は、ベース本体３１内に浸入した液体がその自重により媒体収容部４１流れるようよう誘導可能に形成されているため、連結部１７上に溜まった液体を簡単に排出することができ、液体が電池収容部２０に浸入することを防止できる。
【００３２】
また、本実施形態によれば、電池カバー１５は、該電池カバー１５を本体２にヒンジ連結する連結部１７を備える。連結部１７は、ベース本体３１の内面から本体２内に延びるアーム１９を有すると共に、このアーム１９に本体２内に設けられた仕切壁２９に対向する近接面１９ａを有する。溝部５４は、アーム１９における仕切壁２９に対向する近接面１９ａに設けられている。このため、仕切壁２９と近接する連結部１７上に液体が溜まることを防止でき、この液体が電池収容部２０へ浸入することを防止できる。
【００３３】
また、本実施形態によれば、操作ノブ１６は、操作ノブ１６の操作に連動して回動し、爪部３２を進出させるカム部材３９と、爪部３２を退避させる方向に付勢する圧縮コイルばね４２とを備える。そして、カムの退避位置において、爪部３２が退避しない場合には、この爪部３２を強制的に退避させる強制退避部５０を備えるため、爪部３２を電池収容部２０の受け部５１から外れた位置まで、強制的に退避させることができる。従って、プリンター１を分解することなく、電池カバー１５を簡単に開くことができる。
【００３４】
なお、上述した実施形態及び変形例は本発明を適用した一例を示すものであって、本発明は上記実施形態に限定されることはなく、本発明の要旨を逸脱しない範囲内で、適宜変更可能であることは勿論である。
例えば、上記実施形態では、溝部５４を連結部１７のアーム１９に設けているが、これに限らず、アーム１９に対向する仕切壁２９の対向部２９ａに設けても良い。また、アーム１９に設けた溝部５４の幅や形状等は適宜変更することが可能である。
また、本発明はプリンター１に限らず電池２１を電源とする様々な電子機器に適用可能であり、電池２１の種類や容量も任意である。また、電池２１の形が多角形である場合、電池収容部２０もそれに応じて形状を変えることができる。
【符号の説明】
【００３５】
１…プリンター（携帯型電子機器）、２…本体（機器本体）、１５…電池カバー（蓋体）、１６…操作ノブ（操作部）、１７…連結部、１９…アーム、１９ａ…近接面（対向部位）、２０…電池収容部、２１…電池、２９…仕切壁（内壁）、３１…ベース本体、３２…爪部、３６…レバー部材、３８ｂ…凹部、４１…媒体収容部（所定箇所）、４２…圧縮コイルばね（付勢手段）、５０…強制退避部、５１…受け部（係合部）、５２…貫通孔、５３…隙間、５４…溝部（液体誘導路）。
【図１】
2015053164.tif 000003
【図２】
2015053164.tif 000004
【図３】
2015053164.tif 000005
【図４】
2015053164.tif 000006
【図５】
2015053164.tif 000007
【図６】
2015053164.tif 000008
【図７】
2015053164.tif 000009
【図８】
2015053164.tif 000010
【図９】
2015053164.tif 000011